(57)【特許請求の範囲】
【請求項１】
アース接続が必要な電気機器への給電を制御するための給電制御装置であって、
一次コイルと二次コイルとの巻数比が互いに異なる一対のトランスを備え、
該一対のトランスの上記一次コイル同士は直列接続されて一次コイル群を構成し、上記二次コイル同士は直列接続されて二次コイル群を構成しており、
上記一次コイル群は、上記電気機器の電源ラインに、該電気機器と並列に接続され、
上記一対の一次コイルの間は、上記電気機器のアース線に接続され、
上記二次コイル群には、上記電気機器への給電を制御する制御回路が接続されており、
該制御回路は、上記二次コイル群に生じた誘起電圧に応じて、一方の端子がアース接続されている交流電源に対して上記電気機器が極性を間違えて接続されているか否か、及び上記電気機器がアース接続されているか否かを検出し、上記極性を間違えて接続されている場合か、又は上記電気機器が上記アース接続されていない場合に、上記電気機器への給電を停止するよう構成してあることを特徴とする給電制御装置。
【請求項２】
請求項１に記載の給電制御装置において、上記二次コイル群の一方の端子は、整流ダイオードのアノード端子に接続され、該整流ダイオードのカソード端子は上記制御回路に接続され、上記二次コイル群の他方の端子は接地されており、上記整流ダイオードのカソード端子と上記他方の端子との間に、コンデンサと抵抗とがそれぞれ並列に接続されていることを特徴とする給電制御装置。
【発明の詳細な説明】
【技術分野】
【０００１】
本発明は、アース接続が必要な電気機器への給電を制御する給電制御装置に関する。
【背景技術】
【０００２】
従来から、電気機器がアース接続されているか否かを検知し、アース接続されていない場合に、電気機器への給電を停止する給電制御装置が知られている（下記特許文献１、２参照）。
【０００３】
給電制御装置は、図１１に示すごとく、例えば、リレー９と、直列接続されたダイオード９７１及び分圧抵抗９２と、フォトカプラ９７と、トランジスタ９８とを備える。リレー９は、電気機器９４の電源ライン９４０，９４１に設けられている。分圧抵抗９２及びダイオード９７１は、電気機器９４のホット側電源ライン９４０とアース線９６との間に接続されている。フォトカプラ９７は、分圧抵抗９２の分圧点とコールド側電源ライン９４１との間に接続された発光ダイオード９７０を有する。トランジスタ９８は、フォトカプラ９７の二次側電圧を増幅する。
【０００４】
アース線９６が接地されている場合は、発光ダイオード９７０は発光せず、トランジスタ９８がオンになり、リレーコイル９９に電流が流れる。その結果、リレー９が接続し、電気機器９４に給電される。
アース線９６が接地されていない場合は、発光ダイオード９７０が発光し、トランジスタ９８がオフになり、リレーコイル９９に電流が流れなくなる。その結果、リレー９が遮断し、電気機器９４への給電が停止される。
【先行技術文献】
【特許文献】
【０００５】
【特許文献１】特開平１０−１１６６５３号公報
【特許文献２】特開平８−１６６４２０号公報
【発明の概要】
【発明が解決しようとする課題】
【０００６】
しかしながら、従来の給電制御装置９０は、発光ダイオード９７０が経年劣化して、発光量が低下する問題があった。そのため、給電制御装置９０を長期間使用すると、フォトカプラ９７が正常に動作しなくなり、アース接地されていないのにリレー９が接続して、電気機器９４に給電されることがあった。そのため、経年劣化しにくい給電制御装置が望まれていた。
【０００７】
また、商用電源９１には、アース接地されたコールド端子Ｃと、アース接地されていないホット端子Ｈとがある。商用電源９１のコンセント９１０に、極性を間違えて電源プラグ９３を接続すると、ホット端子Ｈから電流Ｉが、アース線９６を伝わって大地Ｅへ流れることがある。そのため、極性を間違えて電源プラグ９３を接続した場合には、電気機器９４への給電を停止できる給電制御装置が望まれていた。
【０００８】
本発明は、電気機器がアース接続されていない場合、又は極性を間違えて電源に接続した場合に、電気機器への給電を停止でき、経年劣化しにくい給電制御装置を提供しようとすることにある。
【課題を解決するための手段】
【０００９】
本発明は、アース接続が必要な電気機器への給電を制御するための給電制御装置であって、
一次コイルと二次コイルとの巻数比が互いに異なる一対のトランスを備え、
該一対のトランスの上記一次コイル同士は直列接続されて一次コイル群を構成し、上記二次コイル同士は直列接続されて二次コイル群を構成しており、
上記一次コイル群は、上記電気機器の電源ラインに、該電気機器と並列に接続され、
上記一対の一次コイルの間は、上記電気機器のアース線に接続され、
上記二次コイル群には、上記電気機器への給電を制御する制御回路が接続されており、
該制御回路は、上記二次コイル群に生じた誘起電圧に応じて、一方の端子がアース接続されている交流電源に対して上記電気機器が極性を間違えて接続されているか否か、及び上記電気機器がアース接続されているか否かを検出し、上記極性を間違えて接続されている場合か、又は上記電気機器が上記アース接続されていない場合に、上記電気機器への給電を停止するよう構成してあることを特徴とする給電制御装置にある（請求項１）。
【発明の効果】
【００１０】
上記給電制御装置によると、電気機器がアース接続されかつ極性を間違えずに電源に接続された状態（正常使用状態）と、それ以外の状態とを、二次コイル群に発生する誘起電圧の違いによって制御回路が検知できる。そのため、アース接続されていない場合や極性を間違えて電源に接続した場合には、電気機器への給電を停止することができる。
【００１１】
すなわち、例えば単相２線式の商用電源を使って電力を供給する場合、上記正常使用状態では、商用電源のホット端子から一次電流が、一対の一次コイルのうち一方の一次コイルのみを通ってグランドに流れ、他方の一次コイルには一次電流が流れない。
また、電気機器がアース接続されかつ極性を間違えて電源に接続された状態（極性不一致状態）では、ホット端子から一次電流が、他方の一次コイルのみを通ってグランドに流れ、一方の一次コイルには一次電流が流れない。
また、電気機器がアース接続されていない状態（非接地状態）では、ホット端子から一次電流が、両方の一次コイルを通ってコールド端子に流れる。
【００１２】
一対のトランスは、一次コイルと二次コイルの巻数比が互いに異なるため、一方の一次コイルにのみ一次電流が流れる場合と、他方の一次コイルにのみ一次電流が流れる場合と、両方の一次コイルに一次電流が流れる場合とで、二次コイル群に生じる誘起電圧が変化する。そのため、制御回路は、この誘起電圧を検知することにより、電気機器が正常使用状態であるか、極性不一致状態であるか、非接地状態であるかを検知することができる。したがって、制御回路が、上記極性不一致状態または非接地状態であることを検知した場合に、電気機器への給電を停止することができる。
【００１３】
また、トランスは、発光素子と異なり、経年劣化しにくい部品であるため、給電制御装置を長期間使用した場合でも誤動作しにくい。
【００１４】
以上のごとく、本発明によれば、電気機器がアース接続されていない場合、又は極性を間違えて電源に接続した場合に、電気機器への給電を停止でき、経年劣化しにくい給電制御装置を提供することができる。
【図面の簡単な説明】
【００１５】
【図１】実施例１における、給電制御装置の回路図。
【図２】実施例１における、正常使用状態での、給電制御装置の回路図。
【図３】実施例１における、電源プラグの極性を反転させてコンセントに接続した場合の、給電制御装置の回路図。
【図４】実施例１における、電気機器がアース接続されていない場合の、給電制御装置の回路図。
【図５】実施例２における、給電制御装置の回路図。
【図６】実施例２における、正常使用状態での、給電制御装置の回路図。
【図７】実施例２における、アース接続し、かつ誤って電源プラグのＨ２端子をコンセントのコールド端子に接続した場合の、給電制御装置の回路図。
【図８】実施例２における、アース接続し、かつ誤って電源プラグのＨ１端子をコンセントのコールド端子に接続した場合の、給電制御装置の回路図。
【図９】実施例２における、アース接続されていない場合の、給電制御装置の回路図。
【図１０】実施例２における、誤って電源プラグのＨ２端子をコンセントのコールド端子に接続し、かつアース接続されていない場合の、給電制御装置の回路図。
【図１１】従来例における、給電制御装置の回路図。
【発明を実施するための形態】
【００１６】
上述した本発明における好ましい実施の形態につき説明する。
上記給電制御装置が給電を制御する電気機器は、例えば、電気自動車やハイブリッド車に搭載されたバッテリーを、商用電源（交流電源）を使って充電するための充電器である。
【００１７】
上記給電制御装置において、上記二次コイル群の一方の端子は、整流ダイオードのアノード端子に接続され、該整流ダイオードのカソード端子は上記制御回路に接続され、上記二次コイル群の他方の端子は接地されており、上記整流ダイオードのカソード端子と上記他方の端子との間に、コンデンサと抵抗とがそれぞれ並列に接続されていることが好ましい（請求項２）。
この場合には、二次コイル群の一方の端子のみを制御回路に接続できるので、二次コイル群の両方の端子を制御回路に接続した場合と比較して、接続に必要な配線の数が少なくてすみ、部品点数を削減することができる。そのため、給電制御装置の製造コストを低減することができる。
【実施例】
【００１８】
（実施例１）
本発明の実施例にかかる給電制御装置につき、図１〜図４を用いて説明する。
本例の給電制御装置１は、アース接続が必要な電気機器４への給電を制御する装置である。給電制御装置１は、一次コイル２１と二次コイル２２との巻数比が互いに異なる一対のトランス２（２ａ，２ｂ）を備える。
一対のトランス２の一次コイル２１ａ，２１ｂ同士は直列接続されて一次コイル群２１０を構成している。また、二次コイル２２ａ，２２ｂ同士は直列接続されて二次コイル群２２０を構成している。
【００１９】
一次コイル群２１０は、電気機器４の電源ライン４０，４１に、電気機器４と並列に接続されている。一対の一次コイル２１ａ，２１ｂの間は、電気機器４のアース線４２に接続されている。二次コイル群２２０には、電気機器４への給電を制御する制御回路３が接続されている。
【００２０】
制御回路３は、二次コイル群２２０に生じた誘起電圧に応じて、一方の端子（コールド端子Ｃ）がアース接続されている交流電源７（商用電源）に対して電気機器４が極性を間違えて接続されているか否か、及び電気機器４がアース接続されているか否かを検出する。制御回路３は、電気機器４が極性を間違えて接続している場合か、又はアース接続されていない場合に、電気機器４への給電を停止するよう構成してある。
【００２１】
電気機器４は、電気自動車やハイブリッド車等の車両に搭載されたバッテリー（図示しない）を、交流電源７を使って充電するための充電器である。電気機器４の筐体４００には、アース線４２が取り付けられている。アース線４の接続端子４２０を、グランド１４側の被接続端子１４０に接続することにより、電気機器４をアース接続するようになっている。
【００２２】
また、電気機器４には、給電用の電力ライン４０，４１が接続している。この電力ライン４０，４１の一端には、電源プラグ６が設けられている。
【００２３】
交流電源７は、単相２線式の商用電源である。交流電源７には、アース接続されたコールド端子Ｃと、アース接続されていないホット端子Ｈとがある。交流電源７のコンセント５に電源プラグ６を差し込むことにより、電気機器４に給電するようになっている。
【００２４】
上記電源ライン４０，４１には、ホット端子Ｈ側の電源ライン４０と、コールド端子Ｃ側の電源ライン４１とがある。一次コイル群２１０の一方の端子２１０ａは、配線２８によって、ホット端子Ｈ側の電源ライン４０に、接続部４８において接続されている。また、一次コイル群２１０の他方の端子２１０ｂは、配線２９によって、コールド端子Ｃ側の電源ライン４１に、接続部４９において接続されている。
【００２５】
電源ライン４０，４１には、それぞれリレー１１が設けられている。リレー１１ａ，１１ｂがそれぞれオン状態になると、交流電源７から電気機器４へ給電され、オフ状態になると、電気機器４への給電が停止される。リレー１１の制御は、制御回路３によって行う。リレー１１ａ，１１ｂは、電源ライン４０，４１における、上記接続部４８，４９よりも電気機器４側の部位にそれぞれ設けられている。
【００２６】
上述したように、一対のトランス２ａ，２ｂは、一次コイル２１と二次コイル２２の巻数比がそれぞれ異なる。一次コイル群２１０の、一方の一次コイル２１ａと他方の一次コイル２１ｂとの中間点１３と、アース線４２とは、接続ライン１３０によって接続されている。
【００２７】
二次コイル群２２０の一方の端子２２０ａは、整流ダイオード１２のアノード端子に接続している。整流ダイオード１２のカソード端子は、制御回路３に接続している。制御回路３は、リレー１１ａ，１１ｂのリレーコイル（図示しない）に接続している。また、二次コイル群２２０の他方の端子２２０ｂは、制御グランド２７に接続している。整流ダイオード１２のカソード端子と、二次コイル群２２０の他方の端子２２０ｂとの間には、コンデンサ１０と抵抗Ｒとが、それぞれ並列接続されている。
【００２８】
図２に、電気機器４を、極性を間違えずに交流電源７に接続し、かつアース接続した状態（正常使用状態）における、一次電流Ｉおよび二次電流ｉが流れる経路を示す。このように、ホット側の電源ライン４０をホット端子Ｈに接続し、コールド側の電源ライン４１をコールド端子Ｃに接続するように、電源プラグ６をコンセント５に差し込み、かつ、アース線４２をグランド１４に接続すると、ホット端子Ｈから一次電流Ｉが、電源ライン４０、配線２８、一方の一次コイル２１ａ、接続ライン１３０を通って、グランド１４に流れる。他方の一次コイル２１ｂは、一次電流Ｉ（交流電流）に対して抵抗となるため、他方の一次コイル２１ｂには一次電流Ｉは流れない。
【００２９】
一方の一次コイル２１ａに一次電流Ｉが流れると、一方の二次コイル２２ａに誘起電圧が発生する。誘起電圧は、整流ダイオード１２によって半波整流され、コンデンサ１０によって平滑化される。その結果、制御回路３の接続部３０には直流電圧が加わることになる。
【００３０】
また、図３に示すごとく、電気機器４を交流電源７に対して極性を間違えて接続し、かつアース接続した場合（極性不一致状態）には、他方の一次コイル２１ｂにのみ一次電流Ｉが流れる。すなわち、ホット側の電源ライン４０をコールド端子Ｃに接続し、コールド側の電源ライン４１をホット端子Ｈに接続するように、電源プラグ６を差し込み、かつ、アース線４２をグランド１４に接続すると、ホット端子Ｈから一次電流Ｉが、電源ライン４１、配線２９、他方の一次コイル２１ｂ、接続ライン１３０を通り、グランド１４に流れる。一方の一次コイル２１ａは、一次電流Ｉ（交流電流）に対して抵抗となるため、一方の一次コイル２１ａには一次電流Ｉは流れない。
【００３１】
正常使用状態では、一方の一次コイル２１ａにのみ一次電流Ｉが流れるのに対し、極性不一致状態では、他方の一次コイル２１ｂにのみ一次電流Ｉが流れる。上述したように、トランス２ａ，２ｂは、一次コイル２１と二次コイル２２の巻数比が互いに異なる。そのため、極性不一致状態では、正常使用状態とは異なる誘起電圧が二次コイル群２２０に発生する。そして、制御回路３の接続部３０に、正常使用状態とは異なる電圧が加わる。
【００３２】
また、図４に示すごとく、アース線４２をグランド１４に接続しない場合（非接地状態）には、ホット端子Ｈから一次電流Ｉが、ホット側の電源ライン４０、配線２８、一方の一次コイル２１ａ、他方の一次コイル２１ｂ、配線２９、コールド側の電源ライン４１を通り、コールド端子Ｃに流れる。すなわち、一次コイル群２１０の、両方の一次コイル２１ａ，２１ｂに一次電流Ｉが流れることになる。
【００３３】
なお、図４では、電源プラグ６を、極性を間違えずに接続しているが、極性を間違えて接続した場合も、上記と同様に、両方の一次コイル２１ａ，２１ｂに一次電流Ｉが流れる。
【００３４】
このように、非接地状態では、両方の一次コイル２１ａ，２１ｂに一次電流Ｉが流れるため、二次コイル群２２０には、正常使用状態（図２参照）および極性不一致状態（図３参照）とは異なる誘起電圧が発生する。そのため、制御回路３の接続部３０に、正常使用状態や極性不一致状態とは異なる電圧が加わる。
【００３５】
例えば、一方のトランス２ａの、一次コイル２１ａの巻数Ｎ１と二次コイル２２ａの巻数Ｎ２との巻数比Ｎ１／Ｎ２＝３４とし、他方のトランス２ｂの、一次コイル２１ｂの巻数Ｎ３と二次コイル２２ｂの巻数Ｎ４との巻数比Ｎ３／Ｎ４＝１２０とし、コンデンサ１０の容量を１０μＦとし、抵抗Ｒを１０ＭΩとした場合、接続部３０に加わる電圧は、正常使用状態（図２参照）では４．１６Ｖとなる。また、極性不一致状態（図３参照）では１．１８Ｖとなり、非接地状態では１．８４Ｖとなる。
したがって、例えば、接続部３０に加わる電圧が３．０Ｖ以上の場合にのみリレー１１を接続し、電圧が３．０Ｖ未満の場合にはリレー１１を切断するように構成すれば、正常使用状態の場合のみ、電気機器４に給電することが可能となる。
【００３６】
本例の作用効果について説明する。
本例の給電制御装置１によると、電気機器４がアース接続されかつ極性を間違えずに電源に接続された状態（正常使用状態）と、それ以外の状態とを、二次コイル群２２０に発生する誘起電圧の違いによって制御回路３が検知できる。そのため、アース接続されていない場合（非接地状態）や極性を間違えて電源に接続した場合（極性不一致状態）には、電気機器４への給電を停止することができる。
【００３７】
これにより、アース接続されていない状態（非接地状態）で電気機器４に給電され、感電事故が発生したり、電源プラグ６の極性を間違えて接続し（極性不一致状態）、大きなアース電流がアース線４２に流れたりする不具合を防止できる。
【００３８】
また、トランス２は、発光素子と異なり、経年劣化しにくい部品であるため、給電制御装置１を長期間使用した場合でも誤動作しにくい。
【００３９】
また、本例では図１に示すごとく、二次コイル群２２０の一方の端子２２０ａは、整流ダイオード１２のアノード端子に接続され、該整流ダイオード１２のカソード端子は制御回路３に接続されている。また、二次コイル群２２０の他方の端子２２０ｂは接地されている。そして、整流ダイオード１２のカソード端子と他方の端子２２０ｂとの間に、コンデンサ１０と抵抗Ｒとがそれぞれ並列に接続されている。このようにすると、二次コイル群２２０の一方の端子２２０ａ側のみを制御回路３に接続することができる。そのため、二次コイル群２２０の両方の端子２２０ａ，２２０ｂを制御回路３に接続した場合と比較して、接続に必要な配線の数が少なくてすみ、部品点数を削減することができる。これにより、給電制御装置１の製造コストを低減することができる。
【００４０】
以上のごとく、本発明によれば、電気機器がアース接続されていない場合、又は極性を間違えて電源に接続した場合に、電気機器への給電を停止でき、経年劣化しにくい給電制御装置を提供することができる。
【００４１】
（実施例２）
本例は、図５に示すごとく、電気機器を単相３線式の交流電源７に接続した例である。本例の交流電源７は、アース接続されたコールド端子Ｃと、２個のホット端子Ｈ１，Ｈ２を備える。ホット端子Ｈ１，Ｈ２には、コールド端子Ｃを基準として実効値が１００Ｖの交流電流がそれぞれ流れる。一方のホット端子Ｈ１と、他方のホット端子Ｈ２に流れる電流は、互いに位相が１８０°ずれている。
【００４２】
電気機器４には、実施例１と同様に、一対の電力ライン４０，４１が接続されている。一方の電力ライン４０は、交流電源７の一方のホット端子Ｈ１に接続され、他方の電力ライン４１は、他方のホット端子Ｈ２に接続される。
また、実施例１と同様に、電気機器４は筐体４００を備える。筐体４００にはアース線４２が接続されている。アース線４２をグランド１４に接続することにより、電気機器４をアース接続する。
【００４３】
本例の給電制御装置１は、電気機器４がアース接続されていない場合か、又は電力ライン４０，４１がそれぞれホット端子Ｈ１，Ｈ２に接続されていない場合に、電気機器４への給電を停止するよう構成してある。
【００４４】
図６に示すごとく、電力ライン４０，４１をそれぞれホット端子Ｈ１，Ｈ２に接続し、かつアース線４２をグランド１４に接続した場合（正常使用状態）、一方のホット端子Ｈ１から一次電流Ｉ１が、電力ライン４０、配線２８、一方の一次コイル２１ａ、接続ライン１３０を通って、グランド１４に流れる。また、他方のホットラインＨ２から一次電流Ｉ２が、電力ライン４１、配線２９、他方の一次コイル２１ｂ、接続ライン１３０を通って、グランド１４に流れる。中間点１３は接地されているため、各々の一次コイル２１ａ，２１ｂには１００Ｖの電圧が加わる。
このように、正常使用状態では、両方の一次コイル２１ａ，２１ｂに一次電流Ｉが流れる。そして、これに伴って、二次コイル群２２０に誘起電圧が発生し、制御回路３の接続部３０に直流電圧が加わる。
【００４５】
また、図７に示すごとく、アース線４２をグランド１４に接続し、電力ライン４０を一方のホット端子Ｈ１に接続し、誤って電力ライン４１をコールド端子Ｃに接続することがある。この場合、一方のホット端子Ｈ１から一次電流Ｉが、電力ライン４０、配線２８、一方の一次コイル２１ａ、接続ライン１３０を通ってグランド１４に流れる。他方の一次コイル２１ｂには一次電流Ｉは流れない。
このように、一方の一次コイル２１ａのみに一次電流Ｉが流れるため、正常使用状態（図６参照）とは異なる誘起電圧が二次コイル群２２０に発生する。そして、接続部３０には、正常使用状態とは異なる電圧が加わる。
【００４６】
また、図８に示すごとく、アース線４２をグランド１４に接続し、電力ライン４１を他方のホット端子Ｈ２に接続し、誤って電力ライン４０をコールド端子Ｃに接続することがある。この場合、他方のホット端子Ｈ２から一次電流Ｉが、電力ライン４１、配線２９、他方の一次コイル２１ｂ、接続ライン１３０を通ってグランド１４に流れる。一方の一次コイル２１ａには一次電流Ｉは流れない。そして、これに伴って二次コイル群２２０に誘起電圧が発生し、制御回路３の接続部３０に直流電圧が加わる。接続部３０には、正常使用状態（図６参照）や、図７に示す接続状態とは異なる電圧が加わる。
【００４７】
また、図９に示すごとく、電力ライン４０，４１をそれぞれホット端子Ｈ１，Ｈ２に接続し、かつアース線４２をグランド１４に接続しない場合がある。この場合には、両方の一次コイル２１ａ，２１ｂに一次電流Ｉが流れる。また、中間点１３が接地されていないため、各々の一次コイル２１ａ，２１ｂには、正常使用状態（図６参照）と異なる電圧が加わる。そのため、二次コイル群２２０に、正常使用状態とは異なる誘起電圧が発生する。その結果、制御回路３の接続部３０に、正常使用状態とは異なる電圧が加わる。
【００４８】
また、図１０に示すごとく、一方の電力ライン４０をホット端子Ｈ１に接続し、他方の電力ライン４１をコールド端子Ｃに接続し、かつアース線４２をグランド１４に接続しない場合がある。この場合には、ホット端子Ｈ１から一次電流Ｉが、一方の電力ライン４０、配線２８、一次コイル２１ａ，２１ｂ、配線２９、他方の電力ライン４１を通ってコールド端子Ｃに流れる。この場合には、一次コイル群２１０の両端子２１０ａ，２１０ｂの間に１００Ｖの電圧しか加わらないため、二次コイル群２２０に、正常使用状態（図６参照）とは異なる誘起電圧が発生する。その結果、制御回路３の接続部３０に、正常使用状態とは異なる電圧が加わる。
【００４９】
例えば、実施例１と同様に、一方のトランス２ａの、一次コイル２１ａの巻数Ｎ１と二次コイル２２ａの巻数Ｎ２との巻数比Ｎ１／Ｎ２＝３４とし、他方のトランス２ｂの、一次コイル２１ｂの巻数Ｎ３と二次コイル２２ｂの巻数Ｎ４との巻数比Ｎ３／Ｎ４＝１２０とし、コンデンサ１０の容量を１０μＦとし、抵抗Ｒを１０ＭΩとした場合、接続部３０に加わる電圧は、正常使用状態（図６参照）では、１９．８Ｖとなる。また、図７の使用状態では１２．８Ｖとなり、図８の使用状態では６．５Ｖとなる。また、図９の使用状態では１６．１Ｖとなり、図１０の使用状態では７．８Ｖとなる。
【００５０】
そのため、例えば、接続部３０に加わる電圧が１８Ｖ以上の場合にのみリレー１１を接続し、電圧が１８Ｖ未満の場合にはリレー１１を切断するように構成すれば、正常使用状態の場合のみ、電気機器４に給電することが可能となる。
その他、実施例１と同様の構成を備える。
【００５１】
本例の作用効果について説明する。本例では、単相３線式の交流電源を用いた場合でも、電気機器４がアース接続されていない場合（図９、図１０）や、極性を間違えて電源に接続した場合（図７、図８、図１０）に、電気機器４への給電を停止できる。
その他、実施例１と同様の作用効果を備える。
【符号の説明】
【００５２】
１  給電制御装置
２  トランス
２１  一次コイル
２１０  一次コイル群
２２  二次コイル
２２０  二次コイル群
３  制御回路
４  電気機器
４０  電源ライン（ホット側）
４１  電源ライン（コールド側）
４２  アース線
５  コンセント
６  電源プラグ
【図１】
0005440526.tif 000002
【図２】
0005440526.tif 000003
【図３】
0005440526.tif 000004
【図４】
0005440526.tif 000005
【図５】
0005440526.tif 000006
【図６】
0005440526.tif 000007
【図７】
0005440526.tif 000008
【図８】
0005440526.tif 000009
【図９】
0005440526.tif 000010
【図１０】
0005440526.tif 000011
【図１１】
0005440526.tif 000012